(57)【要約】【課題】間隔が変化する部位に特徴のある商品に取り付けて当該商品の販促効果が得られるようにした新規な販促用表示具を提供すること。【解決手段】複数の平行な切れ目ａ1 〜ａ5 が形成されるとともに第１の絵柄が設けられた第１シート部１１を有する一方の部材と、この切れ目ａ1 〜ａ5 とその端縁とで適宜な角度の交差部を形成するような複数の平行な舌片ｂ1 〜ｂ5 が形成されるとともに第２の絵柄が設けられた第２シート部２１を有する他方の部材とを有し、第１シート部１１と第２シート部２１とが舌片ｂ1 〜ｂ5 を切れ目ａ1 〜ａ5 に挿入した状態で摺動可能な状態で重ね合わせられ、一方の部材と他方の部材にはこれらを商品における間隔が変化する部位の双方にそれぞれ取り付けるための一方の取付部と他方の取付部が設けられている。間隔が変化するという機能を消費者の手による操作に加えて視覚に訴えることとなり、大きな販促効果が得られる。【選択図】図９
0003127358.tif 000002
【実用新案登録請求の範囲】
【請求項１】
間隔が変化する部位を有する商品に取り付けて使用される販促用表示具であって、複数の平行な切れ目が形成されるとともに第１の絵柄が設けられた第１シート部を有する一方の部材と、この切れ目とその端縁とで適宜な角度の交差部を形成するような複数の平行な舌片が形成されるとともに第２の絵柄が設けられた第２シート部を有する他方の部材とを有し、第１シート部と第２シート部とが舌片を切れ目に挿入した状態で摺動可能な状態で重ね合わせられており、一方の部材と他方の部材にはこれらを商品における間隔が変化する部位の双方にそれぞれ取り付けるための一方の取付部と他方の取付部が設けられていることを特徴とする販促用表示具。
【考案の詳細な説明】
【技術分野】
【０００１】
本考案は、商品の販促や広告などに使用される表示具に係り、詳しくは、店頭にて陳列された商品に取り付けて使用される販促用表示具に関する。
【背景技術】
【０００２】
従来、店頭にて商品を陳列するための棚に取り付ける広告等の表示具として各種のものが使用されている。また、店頭に陳列した商品自体にも、例えば、家電や家具などのように大型でそれ自体に印刷等の表示がない商品には、その商品の性能や特徴などを表示したシールや小さな立て看板を始めとして、商品説明のモニターを設置するなど消費者の目を引くようにした各種の販促用表示具が普通に利用されている。
【特許文献１】特開平７−１３４５５５号公報
【特許文献２】特開平９−７３２７０号公報
【特許文献３】特開平１０−２３２６１１号公報
【考案の開示】
【考案が解決しようとする課題】
【０００３】
上記のように、家電や家具などの商品に従来から使用されている販促用表示具としては、シールや小さな立て看板を始めとして商品説明用のモニターなどがあるが、これらはいずれも商品に取り付けたり、商品上に設置したりするだけのものであり、また消費者もこれらの販促具には慣れているので、特に目を引く訳でもなく、商品における特徴のある部分をこれらの販促具で宣伝しても大きな販促効果を得るのは難しい。例えば、冷蔵庫の棚や書棚の区切り板のように間隔が変化する部位を有する商品についてその機能を消費者に興味深く訴えても、販促効果上げることには限界がある。
【０００４】
本考案は、上記のような事情に鑑みてなされたものであり、その目的とするところは、間隔が変化する部位に特徴のある商品に取り付けて当該商品の販促効果が得られるようにした新規な販促用表示具を提供することにある。
【課題を解決するための手段】
【０００５】
上記の目的を達成するため、本考案の販促用表示具は、間隔が変化する部位を有する商品に取り付けて使用される販促用表示具であって、複数の平行な切れ目が形成されるとともに第１の絵柄が設けられた第１シート部を有する一方の部材と、この切れ目とその端縁とで適宜な角度の交差部を形成するような複数の平行な舌片が形成されるとともに第２の絵柄が設けられた第２シート部を有する他方の部材とを有し、第１シート部と第２シート部とが舌片を切れ目に挿入した状態で摺動可能な状態で重ね合わせられており、一方の部材と他方の部材にはこれらを商品における間隔が変化する部位の双方にそれぞれ取り付けるための一方の取付部と他方の取付部が設けられていることを特徴とする。
【考案の効果】
【０００６】
本考案の販促用表示具は、商品において間隔が変化する部位の双方に一方の取付部と他方の取付部をそれぞれ取り付けた状態で使用するが、この取付状態で当該部位の間隔を変化させると第１の絵柄と第２のいずれか一方の絵柄が現れるので、間隔が狭い場合と広い場合に対応する絵柄を描いておくことで、その商品の間隔が変化するという機能を消費者の手による操作に加えて視覚に訴えることとなり、従来にない大きな販促効果を得ることができる。
【考案を実施するための最良の形態】
【０００７】
以下、図面を参照して本考案の実施の形態を説明する。
【０００８】
図１及び図２は本考案に係る販促用表示具の一例を示すもので、図１は使用前の状態で示す平面図、図２は使用する状態で示す斜視図である。この販促用表示具は、店頭に陳列された冷蔵庫における庫内の可動棚の間に設置して使用するものであり、図３〜図８に示す６つの部材から構成されている。
【０００９】
図３は板紙からなる第１シート部材１０で、斜め方向の平行な切れ目ａ1 〜ａ5 が形成された第１シート部１１と、その左側辺に狭幅の側板部１２を介して連設したガイド部１３とからなる。一方、図４は同じく板紙からなる第２シート部材２０で、第１シート部１１の切れ目ａ1 〜ａ5 とその端縁とで適宜な角度の交差部を形成するような横方向の平行な舌片ｂ1 〜ｂ5 が形成された第２シート部２１と、その右側辺に連設した背板部２２とからなる。
【００１０】
そして、図１の販促用表示具Ｐは、この第１シート部材１０と第２シート部材２０とを、第１シート部１１と第２シート部２１とが舌片ｂ1 〜ｂ5 を切れ目ａ1 〜ａ5 に挿入した状態で摺動可能な状態となるように重ね合わせている。また、第１シート部材１０と第２シート部材２０にはこれらを商品における間隔が変化する部位の双方にそれぞれ連結するための一方の取付部と他方の取付部が設けられている。
【００１１】
図１に示す販促用表示具Ｐの組立手順は次のようである。
【００１２】
まず、第１シート部材１０の裏側に図５の下側取付部材３０を取り付ける。下側取付部材３０は、ＰＥＴ等のプラスチックシートからなるもので、中程の折線により上半の背板部３１と下半の取付部３２とに区画されている。そして、この下側取付部材３０における背板部３１が第１シート部材１０における第１シート部１１の裏側に重なる状態とし、第１シート部１１の下辺に沿った貼着部分１１ａと背板部３１の下辺に沿った貼着部分３１ａとを両面テープで貼り合わせる。この下側取付部材３０の背板部３１は、図示の如く左辺側に縦方向の切欠部３１ｂを形成した形状になっている。
【００１３】
このように下側取付部材３０を取り付けた第１シート部材１０に第２シート部材２０を組み合わせる。具体的には、第１シート部１１の上面から第２シート部２１の舌片ｂ1 〜ｂ5 を切れ目ａ1 〜ａ5 に対してそれぞれ挿入し、この挿入状態で背板部２２を後ろ側に折り返してその先端の貼着部分２２ａを舌片ｂ1 〜ｂ5 の先端と貼り合わせる。この時、舌片ｂ1 〜ｂ5 と背板部２２の間に下側取付部材３０の背板部３１が位置するが、この背板部３１には切欠部３１ａが設けてあるので、貼着の邪魔にはならない。
【００１４】
続いて、第１シート部材１０のガイド部１３を後ろ側に折り返してから、図６に示す板紙製のカバー部材４０を取り付ける。このカバー部材４０は、大きく窓が開いた前板部４１と、その上側辺に狭幅の上板部４２を介して連設した後板部４３とからなる。このカバー部材４０における後板部４３の下端に沿った貼着部分４３ａを第２シート部材２０における背板部２２の下端に沿った貼着部２２ｂに貼り合わせ、カバー部材４０の前板部４１を全体を覆うようにして前側に折り返す。この時、第１シート部材１０のガイド部１３はどこにも貼着されない。
【００１５】
次いで、図７の上側取付部材５０を取り付ける。この上側取付部材５０は、下側取付部材３０と同様にＰＥＴ等のプラスチックシートからなるもので、前板部５１の下半左右に狭幅の側板部５２を介して固定部５３が連設され、上半左右に四半円形状の補強部５４が連設されており、前板部５１の上辺側には取付部５５が連設されている。この上側取付部材５０の前板部５１をカバー部材４０の前板部４１に当てがった状態とし、この状態で側板部５２と固定部５３を後ろ側に折り返し、その先端にある係止片５３ａの切込み同士を引っ掛ける。さらに、上辺側の取付部５５にＵ字状切欠で区画された貼着片５５ａを後ろ側に折り返し、カバー部材４０における後板部４３の上部に両面テープで貼着する。なお、引っ掛けた係止片５３ａの付近をカバー部材４０の後板部４３に粘着テープで固定した方が上側取付部材５０の取付状態は安定する。
【００１６】
このように上側取付部材５０を取り付けた後、図８に示す裏打ち部材６０を裏側全体に取り付ける。ここでは、裏打ち部材６０として発泡プラスチック製の板材を用いている。そして、この裏打ち部材６０を、上半はカバー部材４３における後板部４３の上に重なり、下半は上側取付部材５０における取付部５３の上に重なるように、上下の辺に沿って両面テープで貼着する。
【００１７】
最後に、下側取付部材３０の取付部３２と上側取付部材５０の取付部５５に設置用の両面テープＴを取り付ける。図１の販促用表示具Ｐは、このように組み立てられているので、下側取付部材３０の取付部３２と上側取付部材５０の取付部５５を相対的に移動させると、第１シート部材１０と第２シート部材２０が互いにスライドし、縮めた状態では第２シート部２１の絵柄が現れ、伸ばした状態では第１シート部１１の絵柄が現れるようになっている。
【００１８】
この図１に示す販促用表示具Ｐを冷蔵庫の棚の間に設置するに際しては、図２に示すように、上下にある下側取付部材３０と上側取付部材５０を所定形状にする。すなわち、上側取付部材５０における取付部５５を後ろ側に折り曲げるとともに、左右の補強部５４もそれぞれ後ろ側に折り曲げ、各補強部５４の先端にある差込み片５４ａを取付部５５のスリット５５ｂに上面からそれぞれ差し込むことで取付部５５を折曲げ状態で固定する。下側取付部材３０の方は取付部３２を後ろ側に折り曲げるだけでよい。
【００１９】
このように販促用表示具Ｐを図２の如く設置が可能な状態にしてから、レバーや摘みを操作することでその間隔が変化する上下の棚の間にセットする。すなわち、上側取付部材５０の取付部５５を両面テープＴにより上段側の棚の裏面に固定し、下側取付部材３０の取付部３２を両面テープＴにより下段側の棚の上面に固定する。
【００２０】
販促用表示具Ｐは上記のように構成されているので、棚の間隔を変化させると、第１シート部材１０の第１シート部１１と第２シート部材２０の第２シート部２１とが相対的に移動し、第１シート部１１に表示されている絵柄や文字等と第２シート部２１に表示されている絵柄や文字等とが入れ替わる。この例では、図９に示すように、第１シート部１１にケーキの箱が描かれ、第２シート部２１にケーキが描かれており、棚の間隔を変化させることにより、図９（ａ）から図９（ｂ）のように絵柄が入れ替わるので、棚の間隔を広くすると箱のままでも入ることが一目瞭然で判ることになる。
【００２１】
以上、本考案の実施の形態について詳細に説明してきたが、本考案による販促用表示具は、上記実施の形態に何ら限定されるものではなく、本考案の趣旨を逸脱しない範囲において種々の変更が可能であることは当然のことである。
【産業上の利用可能性】
【００２２】
本考案の販促用表示具は、上記したような冷蔵庫に限らず、間隔が変化する部位に特徴のある商品であれば、どのような商品にも適用することができるものであり、例えば、冷蔵庫のような家電類のほか、本箱や家具、玩具などにも適用できる。
【図面の簡単な説明】
【００２３】
【図１】本考案に係る販促用表示具の一例を使用前の状態で示す平面図である。
【図２】同じく使用する状態で示す斜視図である。
【図３】図１の販促用表示具を構成する第１シート部材の平面図である。
【図４】図１の販促用表示具を構成する第２シート部材の平面図である。
【図５】図１の販促用表示具を構成する下側取付部材の平面図である。
【図６】図１の販促用表示具を構成するカバー部材の平面図である。
【図７】図１の販促用表示具を構成する上側取付部材の平面図である。
【図８】図１の販促用表示具を構成する裏打ち部材の斜視図である。
【図９】図１の販促用表示具の使用状態を示す説明図である。
【符号の説明】
【００２４】
Ｐ  販促用表示具
ａ1 〜ａ5   切れ目
ｂ1 〜ｂ5   舌片
１０  第１シート部材
１１  第１シート部
１１ａ  貼着部分
１２  側板部
１３  ガイド部
２０  第２シート部材
２１  第２シート部
２２  背板部
２２ａ，２２ｂ  貼着部分
３０  下側取付部材
３１  背板部
３１ａ  切欠部
３２  取付部
４０  カバー部材
４１  前板部
４２  上板部
４３  後板部
４３ａ  貼着部分
５０  上側取付部材
５１  前板部
５２  側板部
５３  固定部
５３ａ  係止片
５４  補強部
５４ａ  差込み片
５５  取付部
５５ａ  貼着片
５５ｂ  スリット
６０  裏打ち部材
【図１】
0003127358.tif 000003
【図２】
0003127358.tif 000004
【図３】
0003127358.tif 000005
【図４】
0003127358.tif 000006
【図５】
0003127358.tif 000007
【図６】
0003127358.tif 000008
【図７】
0003127358.tif 000009
【図８】
0003127358.tif 000010
【図９】
0003127358.tif 000011